(57)【要約】      （修正有）【課題】装着感をより向上し、ドライバから出力される音質を維持したままでユーザが聴音できるヘッドホンを提供する。【解決手段】ヘッドホン１は、ヘッドバンド２と、ドライバ４４を収納するハウジング４とを備える。ヘッドホン１は、ヘッドバンド２の長さ方向（第１方向Ｘ１）の両端のそれぞれにハウジング４を連結し、ヘッドバンド２の長さ方向とは異なる方向を回転軸としてハウジング４を回転させる連結部材３とを更に備える。【選択図】図１
2019022058.tif 000002
【特許請求の範囲】
【請求項１】
ヘッドバンドと、
ドライバを収納するハウジングと、
前記ヘッドバンドの長さ方向の両端のそれぞれに前記ハウジングを連結し、前記ヘッドバンドの前記長さ方向とは異なる方向を回転軸として前記ハウジングを回転させる連結部材と、
を備える、
ことを特徴とするヘッドホン。
【請求項２】
前記連結部材のうち、前記ハウジングと接続する接続箇所は、前記ヘッドバンドの前記長さ方向に沿って前記ヘッドバンドの幅方向の中心を通る直線と異なる位置に配置されている、
ことを特徴とする請求項１に記載のヘッドホン。
【請求項３】
前記ハウジングの一方の回転可能範囲は、他方の回転可能範囲と異なる、
ことを特徴とする請求項１又は２に記載のヘッドホン。
【請求項４】
収納時、前記ハウジングの外面と前記ヘッドバンドの一部とが同一平面上になる、
ことを特徴とする請求項１乃至３のいずれか一項に記載のヘッドホン。
【発明の詳細な説明】
【技術分野】
【０００１】
この発明は、ヘッドホンに関し、特に、頭部に装着されるヘッドホンに関する。
【背景技術】
【０００２】
特許文献１に記載のヘッドホンは、ヘッドバンドと放音部とを備えている。また、ヘッドバンドは、ヘッドバンド本体と、該ヘッドバンド本体及び放音部を連結するスライダと、を有する。スライダは、ヘッドバンド本体の端部を回転軸として回転でき、放音部をヘッドバンド本体に対して変位できる。
【先行技術文献】
【特許文献】
【０００３】
【特許文献１】特開２０１６−５８８９１号公報
【発明の概要】
【発明が解決しようとする課題】
【０００４】
放音部（ハウジング）は、ドライバの位置が耳孔に対して正確な位置に装着されていることで、ドライバから出力される音質が最もよい状態になるように構成されている。しかしながら、特許文献１に記載のヘッドホンは、スライダがヘッドバンド本体の端部を回転軸として回転しても、ドライバが耳孔に対して正確な位置に配置されるように装着されない場合があった。これにより、ユーザによっては、装着感が低下してしまい、本来ドライバから出力される音質を維持したままで聴音することが困難になってしまう。
【０００５】
そこで、本発明は、装着感をより向上し、ドライバから出力される音質を維持したままでユーザが聴音することができるヘッドホンを提供することにある。
【課題を解決するための手段】
【０００６】
本発明のヘッドホンは、ヘッドバンドと、ドライバを収納するハウジングとを備えている。本発明のヘッドホンは、さらに、前記ヘッドバンドの長さ方向の両端のそれぞれに前記ハウジングを連結し、前記ヘッドバンドの前記長さ方向とは異なる方向を回転軸として、前記ハウジングを回転させる連結部とを備えている。
【発明の効果】
【０００７】
この発明のヘッドホンは、装着感をより向上し、ドライバから出力される音質を維持したままでユーザが聴音することができる。
【図面の簡単な説明】
【０００８】
【図１】ヘッドホンを示す正面図である。
【図２】ヘッドホンを示す側面図である。
【図３】ヘッドホンを示す平面図である。
【図４】頭部の側面を示す説明図である。
【発明を実施するための形態】
【０００９】
本実施形態のヘッドホン１について、図１〜４を参照して説明する。図１は、ヘッドホン１を示す正面図である。図２は、ヘッドホン１を示す側面図である。図３は、ヘッドホン１を示す平面図である。図４は、頭部の側面を示す説明図である。なお、図１〜図４において、第１方向Ｘ１、第２方向Ｙ１及び第３方向Ｚ１を規定する。また、第２方向Ｙ１を上下方向とし、一方を上、他方を下として規定する。さらに、第３方向Ｚ１を前後方向とし、一方を前、他方を後ろとして規定する。ただし、前後方向及び上下方向は、本実施形態に係るヘッドホン１の構成を限定するものではない。
【００１０】
ヘッドホン１は、音響機器、例えば、音楽プレーヤ、音響ミキサ又はスマートフォン等と有線又は無線で接続されている。ヘッドホン１は、音響機器から電気信号を受け取り、受け取った電気信号を音に変換して出力する。ヘッドホン１は、図１に示すように、ヘッドバンド２と、一対の連結部材３と、一対のハウジング４と、を備えている。
【００１１】
ヘッドバンド２は、ユーザの頭部に装着しやすいように、長尺な帯状に形成されている。ヘッドバンド２は、例えば、樹脂又は金属で形成されている。ヘッドバンド２は、外周面２１と、頭部に接触する内周面２２とを有し、図１における第１方向Ｘ１に沿って湾曲している。ヘッドバンド２の内周面２２は、クッション素材などで覆われている。ヘッドバンド２の内部には、図２に示すように、ケーブルが通るケーブル孔２３が形成されている。
【００１２】
なお、ケーブルは、ヘッドバンド２の長さ方向の両端２４から送出されて、一対のハウジング４の内部に挿入される。ケーブルは、一対のハウジング４に収納されているドライバ４４に電気的に接続されている。一対のハウジング４は、ケーブルを介して互いに電気信号を送受信する。
【００１３】
ヘッドバンド２の長さ方向（平面視における第１方向Ｘ１）の両端２４には、図１に示すように、一対の連結部材３が一対一で接続されている。図２に示すように、側面視において、ヘッドバンド２の長さ方向に沿って、かつヘッドバンド２の幅方向の中心を通る直線を直線Ｌ１とする。なお、直線Ｌ１は、第２方向Ｙ１と平行な方向である。ヘッドバンド２の幅方向は、第３方向Ｚ１と平行な方向である。
【００１４】
一対の連結部材３は、図１に示すように、ヘッドバンド２の長さ方向の両端２４とハウジング４とを一対一で連結する。一対の連結部材３のそれぞれは、図２に示すように、スライダ箇所３１と、接続箇所３２とを備えている。
【００１５】
スライダ箇所３１は、長尺な薄板状に形成されている。また、スライダ箇所３１の長さ方向は、図２に示すように、ヘッドバンド２の長さ方向（側面視における第２方向Ｙ１）と平行な方向となるように配置されている。スライダ箇所３１は、ヘッドバンド２と同様に湾曲に形成されている。スライダ箇所３１の一部又は全部は、ヘッドバンド２の長さ方向の両端２４に開口する収納孔に収納される。ユーザは、収納孔に収納されるスライダ箇所３１の長さを手動で調節することができる。これにより、スライダ箇所３１は、ヘッドバンド２とハウジング４との間の長さを調節することができる。この結果、ヘッドホン１は、頭部へのフィット感をより向上することができる。
【００１６】
接続箇所３２は、図１及び図２に示すように、薄板状に形成される。接続箇所３２は、図２に示すように、スライダ箇所３１の下端側（ヘッドバンド２の反対側）から、下方（ヘッドバンド２と反対の方向）かつ後方（スライダ箇所３１における第３方向Ｚ１の一方）に向かって延出する。接続箇所３２は、ハウジング４と接続する。言い換えると、接続箇所３２は、ハウジング４のアーム５の一部と接続する。接続箇所３２の先端は、側面視において、直線Ｌ１と重ならない（異なる）位置でハウジング４と接続している（図２参照）。
【００１７】
一対のハウジング４のそれぞれは、図１に示すように、ハウジング本体４１と、凸部４２、イヤカップ４３と、ドライバ４４と、アーム５とを備えている。一対のハウジング４は、ユーザがヘッドホン１を装着している場合、ドライバ４４がユーザの耳孔と向き合うように一対の連結部材３と一対一で接続されている。
【００１８】
ハウジング本体４１は、開口面を有し、図２に示すように、角が弧状に形成された長方形の箱型に形成されている。装着時において、ハウジング本体４１の開口面は、互いに向き合うように配置されている。ハウジング本体４１は、例えば、樹脂又は金属で形成されている。
【００１９】
凸部４２は、図１に示すように、ハウジング本体４１の開口面とは反対の面から突出する円形状の箱型に形成されている。凸部４２は、ハウジング本体４１と連通している。ハウジング本体４１と凸部４２とで構成される内部の収納空間には、ドライバ４４が収納されている。凸部４２は、例えば、樹脂又は金属で形成されている。なお、ハウジング本体４１及び凸部４２は、一体に形成されてもよい。
【００２０】
凸部４２には、音響機器と有線で接続するための入力端子４２１が設けられている。入力端子４２１はドライバ４４と電気的に接続されており、音響機器から電気信号を受け取る。また、凸部４２には、音響機器と無線で接続するための受信器４２２が設けられている。受信器４２２は、ドライバ４４と電気的に接続されており、音響機器からの電気信号を受け取る。さらに、凸部４２には、マイクロフォン４２３が設けられている。マイクロフォンは、外部、例えばユーザの声を受け取る。
【００２１】
イヤカップ４３は、図３に示すように、リング状に形成されている。イヤカップ４３は、ハウジング本体４１の開口面の一部を覆うように、ハウジング本体４１の外周縁に設けられている。イヤカップ４３は、ハウジング本体４１の外周縁に沿った形状に形成されている（図１参照）。イヤカップ４３の内周縁の形状は、長さ方向がハウジング本体４１の長さ方向と平行となる長方形である。ユーザの頭部と接触するイヤカップ４３の接触面（ハウジング４の外面）４３１は、例えば、ナイロン又は皮などの素材で形成されている。イヤカップ４３は、クッションの役割を果している。
【００２２】
ドライバ４４は、バッフルに保持されて、図１に示すように、ハウジング本体４１及び凸部４２とで構成されている収納空間に収納されている。ドライバ４４は、電気信号を音に変換する。ドライバ４４は、電気信号をダイアフラムに伝えることで音を放音する。ダイアフラムは薄板状に形成されて、振動することで電気信号を音に変換する。放音された音はイヤカップ４３の内周縁で囲まれた空間を介して、耳孔へと放出される。
【００２３】
アーム５は、図２に示すように、Ｙ字状に形成されている。アーム５は、樹脂又は金属で形成されている。アーム５は、基部５１と、一対の腕部５２とを有する。
【００２４】
基部５１は、円柱状に形成されている。基部５１は、連結部材３の接続箇所３２と接続されている。より詳細には、接続箇所３２の先端が基部５１の径方向の中心に向かって、基部５１に嵌め込まれている。
【００２５】
一対の腕部５２は、基部５１の下端から前後方向（第３方向Ｚ１）に向かって互いに離れる方向に延出する。一対の腕部５２のそれぞれは、側面視において、凸部４２の外周縁に沿った弧状に形成されている。一対の腕部５２のそれぞれの先端５２１は、凸部４２の側面に接続されている。このように、アーム５は、連結部材３と凸部４２とを連結している。
【００２６】
基部５１は、側面視において、直線Ｌ１に対して後側に位置している。さらに、基部５１の径方向の中心は、直線Ｌ１に対して後側に傾いている。基部５１の径方向の中心を回転軸Ａｘ１として、一対の腕部５２が第１回転方向Ｄ１又は第２回転方向Ｄ２に回転する。回転軸Ａｘ１は、ヘッドバンド２の長さ方向（側面視における第２方向Ｙ１）とは異なる方向である。言い換えると、回転軸Ａｘ１は、側面視において、図２で示される第２方向Ｙ１（直線Ｌ１）と交差する。具体的には、回転軸Ａｘ１は、側面視において、直線Ｌ１に対して１０°〜２０°程度後方に傾いている。回転軸Ａｘ１は、図２に示すように、下方に向かうにつれて、前方へ向かうように構成されている。なお、回転軸Ａｘ１は、直線Ｌ１に対して１５°で傾いていることが好ましい。
【００２７】
一対の腕部５２が基部５１の径方向の中心を回転軸Ａｘ１として回転することで、ハウジング４が回転する。なお、ハウジング４は、ユーザによって適宜、所望の方向に回転可能である。ユーザは、ヘッドホン１を装着する際、ハウジング４を回転させることで、所望のフィット感を得ることができる。この結果、本実施形態のヘッドホン１は、装着する際の違和感が軽減される。さらに、本実施形態のヘッドホン１は、イヤカップ４３とユーザの頭部との間に隙間が生じてしまうことで発生する音漏れで音質が低下してしまうことを軽減することができる。
【００２８】
ところで、ドライバ４４の位置がユーザの耳孔に対して正確な位置になるようにヘッドホン１が装着されていない場合、ドライバ４４から出力される音質を維持したままの状態でユーザが聴音することができない場合がある。従来、ハウジングがヘッドバンドに対して回転するヘッドホンが提供されていた。このようなヘッドホンでは、ヘッドバンドがユーザの頭部（頭頂）を通る。しかしながら、図４に示すように、ユーザの耳介が後頭側で傾いているため、ハウジングがヘッドバンドに対して回転してもドライバの位置がユーザの耳孔に対して正確な位置に配置されないことがある。
【００２９】
図４で示される直線Ｌ２は、直線Ｌ１と平行であって、耳介の頂部を通る直線である。また、図４で示される直線Ｌ３は、耳介の頂部と耳孔とを通る直線である。傾斜角度Ｒ１は、直線Ｌ１に対する直線Ｌ３の傾き（耳介の傾き）を表す。
【００３０】
回転軸Ａｘ１は、耳介の傾きに沿っている。耳介の頂部は、図４に示すように、直線Ｌ１に対して後頭側に位置する。また、耳介は直線Ｌ１に対して傾斜角度Ｒ１で傾いている。ヘッドホン１は、基部５１が直線Ｌ１よりも後頭側に位置し、かつ回転軸Ａｘ１が直線Ｌ３に沿うように構成されている。言い換えると、ヘッドホン１は、ハウジング４の回転軸Ａｘ１とヘッドバンド２の長さ方向とが異なる方向であり、回転軸Ａｘ１が耳介の傾きに沿うように構成されている。この結果、本実施形態のヘッドホン１は、ハウジング４が回転軸Ａｘ１を軸として回転することで、耳介にイヤカップ４３をぴったり（接触面４３１と耳介の周りとの間に隙間が生じないように）収めることができる。つまり、本実施形態のヘッドホン１は、ドライバ４４の位置が耳孔に対して正確な位置に配置されるように頭部に装着される。したがって、本実施形態のヘッドホン１は、ドライバ４４から出力される音質を維持したままの状態でユーザが聴音することができる。
【００３１】
ハウジング４は、図２に示すように、基部５１の径方向の中心を回転軸Ａｘ１として、第１回転方向Ｄ１及び第２回転方向Ｄ２に回転可能である。ハウジング４の一方の回転可能範囲は、他方の回転可能範囲と異なる。言い換えると、第１回転方向Ｄ１の回転可能な回転角度は、第２回転方向Ｄ２の回転可能な回転角度と異なる。第１回転方向Ｄ１の回転可能な回転角度は、第２回転方向Ｄ２の回転可能な回転角度よりも大きい。例えば、図１、図２及び図３で示す状態を回転角度０°とすると、第１回転方向Ｄ１の回転可能な回転角度は、例えば９０°である。つまり、ハウジング４は、図１、図２及び図３で示す状態から、イヤカップ４３の接触面４３１がヘッドバンド２の幅方向と同じ方向になるようにまで回転する。言い換えると、ハウジング４は、イヤカップ４３の接触面４３１が後ろ向きになるまで回転可能である。
【００３２】
また、例えば、図１、図２及び図３で示す状態を回転角度０°とすると、第２回転方向Ｄ２の回転可能な回転角度は、例えば５°〜１０°であることが好ましい。
【００３３】
ヘッドホン１を収納する場合、イヤカップ４３の接触面４３１がヘッドバンド２の幅方向と同じ方向になるようにヘッドホン１を回転させることができるので、ヘッドホン１は、厚み（側面視における第３方向Ｚ１の長さ）をより薄くすることができる。また、ヘッドホン１は、第２回転方向Ｄ２の回転可能な回転角度が第１回転方向Ｄ１の回転可能な回転角度よりも小さいことで、装着時の余計ながたつきを軽減することができる。
【００３４】
また、イヤカップ４３の接触面４３１がヘッドバンド２の幅方向と同じ方向になるようにハウジング４を回転させた場合、接触面４３１とヘッドバンド２の一部とが同一平面上になる。この状態において、ヘッドホン１は、例えば机などに収納された場合、接触面４３１とヘッドバンド２の一部とで支持される。この結果、ヘッドホン１は、より安定した状態で収納されることができる。
【００３５】
なお、一対のハウジング４のそれぞれは、アーム５の基部５１と一対の腕部５２との間にワッシャーを設けてもよい。一対のハウジング４のワッシャーの色が互いに異なるように構成されることで、ユーザは、ヘッドホン１の左右方向を容易に知ることができる。この結果、ユーザは、容易に正しくヘッドホン１を装着することができ、フィット感をより得ることができる。さらに、ユーザは、より容易にドライバ４４から出力される音質を維持したままで聴音できる。
【００３６】
また、ヘッドホン１は、ハウジング本体４１の後側の側面に切り欠きなどを設けてもよい。これにより、ユーザは、ヘッドホン１の前後が容易に知ることができる。
【００３７】
イヤカップ４３には、音響用の孔が形成されていてもよい。この結果、ユーザは、容易に正しくヘッドホン１を装着することができ、フィット感をより得ることができる。さらに、ユーザは、より容易にドライバから出力される音質を維持したままで聴音できる。
【符号の説明】
【００３８】
１…ヘッドホン
２…ヘッドバンド
３…連結部材
４…ハウジング
Ａｘ１…回転軸
Ｄ１…第１回転方向
Ｄ２…第２回転方向
【図１】
2019022058.tif 000003
【図２】
2019022058.tif 000004
【図３】
2019022058.tif 000005
【図４】
2019022058.tif 000006
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
ヘッドバンドと、
ドライバを収納するハウジングと、
前記ヘッドバンドの長さ方向の両端のそれぞれと前記ハウジングとを連結し、前記ヘッドバンドの前記長さ方向とは異なる方向を回転軸として前記ハウジングを回転させる連結部材と、
を備える、
ことを特徴とするヘッドホン。
【請求項２】
前記連結部材のうち、前記ハウジングと接続する接続箇所は、前記ヘッドバンドの前記長さ方向に沿って前記ヘッドバンドの幅方向の中心を通る直線と異なる位置に配置されている、
ことを特徴とする請求項１に記載のヘッドホン。
【請求項３】
前記ハウジングの一方の回転可能範囲は、他方の回転可能範囲と異なる、
ことを特徴とする請求項１又は２に記載のヘッドホン。
【請求項４】
収納時、前記ハウジングの外面と前記ヘッドバンドの一部とが同一平面上になる、
ことを特徴とする請求項１乃至３のいずれか一項に記載のヘッドホン。
【請求項５】
前記連結部材は、前記ヘッドバンドの前記両端から前記異なる方向へ延出する、
ことを特徴とする請求項１乃至４のいずれか一項に記載のヘッドホン。
【請求項６】
前記連結部材は、薄板状に形成され、少なくとも一部が前記ヘッドバンドから露出する、
ことを特徴とする請求項１乃至５のいずれか一項に記載のヘッドホン。